(57)【特許請求の範囲】
【請求項１】
頭髪を挟んで止めるための止め具であり、
一帯の弾性材の一端より短部材、摘み部、長部材が連続して形成されるもので、長短部材間で分岐された二本の部材が、短部材の長手方向を中心線に直交横方向へ対象に拡がり弧を描いて翼状の摘み部を形成しつつ折り返され長部材へ連続し、短部材を上に長部材が下に重なり合い、全体が長部材側へ湾曲している一対の髪止め
【発明の詳細な説明】
【技術分野】
【０００１】この発明は髪止め具に関するものである
【背景技術】
【０００２】従来の髪止め具としては、−対の髪挟持部材を開閉自在に枢支する枢支部と、一対の髪挟持部材に跨がるように形成され、常時は一対の髪挟持部材を相互に閉じるように一対の髪挟持部材を付勢する付勢部材とを備え、髪挟持部材は、溝部と、溝部に脱着自在に保持され、弾性を有するすべり止め部材とを含み、すべり止め部材は、その一部が溝部から出するように押圧保持されるとした髪止め具である。
（特許文献１参照）【０００３】以下、図１４、図１５、図１６、図１７により従来の髪止め具について説明する。図では、挟んで止めるための一対の髪髪挟持部材１２ａ、１２ｂと一対の髪挟持部材１２ａ、１２ｂを開閉自在に枢支する枢支部１６ａ、１６ａおよび１６ｂ、１６ｂと、一対の髪挟持部材１２ａ、１２ｂ間に跨がるように形成され常時には、一対の髪挟持部材１２ａ、１２ｂを相互に閉じるように付勢する付勢部材１８とを含み、一方の髪挟持部材１２ａには、溝部３０が形成され、その溝部３０の中には、たとえばゴム状弾性体からなる紐状のすべり止め部材３０が脱着自在に装着される【０００４】
【特許文献１】特開平９−２０６１２１号公報
【発明の開示】
【発明が解決する課題】
【０００５】以上に述べた従来の髪止め具は、開閉自在とする枢支部、相互に閉じるための付勢部材が形成され一対の髪挟持部材となるものであり、一対の髪挟持部材はそれぞれが単一部材であるがゆえに枢支部、付勢部材は、必要不可欠であり、製造工程においては枢支部、付勢部材等の組み立てに手間がかかるなどの、解決される課題があります。
【０００６】上記髪止め具は、枢支部、付勢部材が形成された状態において、開閉自在とされており、常時閉じた状態の髪挟み部に対して、つまみ部は常時上下に開いた状態にあり、枢支部、つまみ部は極めて立体的になり、装着時には物にぶつかったり、引っ掛かるなど、また枢支部、付勢部材の隙間等に髪が絡まり抜けるなど困難であり解決される課題です。
【０００７】上記髪止め具は、それぞれの髪挟み部材を枢支部、付勢部材の形成組み立てにより、髪止め具とされており、頭髪を挟み止める目的である髪止め具としては、枢支部部分、つまみ部部分おいては、頭髪を挟めない部分であり、解決される課題です。
【０００８】上記髪止め具においては脱着自在に装着されるすべり止め部材としており、使用時における、ずれる、外れる、脱着の手間がかかるなどが課題となります。
【０００９】よって発明の目的は、このような従来の髪止め具が、それぞれの髪挟み部材を一対とするため又開閉自在のため、常時閉じた状態の髪挟み部のために枢支部、付勢部材は必要不可欠とした構造による問題を解消するものであり、枢支部、付勢部材を形成せずに開閉自在とし、髪挟み部、つまみ部においても常時閉じた状態であり、極めて平面的構造であり、常時はつまみ部も髪挟み部の一部となり頭髪を挟めるものであり、前記髪挟持部材は、合成樹脂、シリコ−ンゴム等により被布加工されるもので頭髪との摩擦により、部材のずれを防止する髪止め具の提供するものです。
【課題を解決する為の手段】
【００１０】この発明は上記の目的を達成するために弾性棒線状材により、部材を輪状に結合し、輪状にて一文字の輪郭を形どる弾性棒線状部材（６）を軸心とし、合成樹脂、シリコ−ンゴム等（７）よって被布加工した状態で一帯部材として使用するもので、一帯部材の一端より短部材、摘み部、長部材が連続して形成されもので、長短部材間で分岐される二本の部材が、短部材の長手方向を中心線に直交横方向へ対象に拡がり、弧を描いて翼状の摘み部を形成しつつ折返され長部材に連続し、短部材が上に長部材が重なり合い全体が長部材下方向に湾曲している一対の髪み止め具。
又、翼状に拡がる摘み部を長部材下方向に押し下げることにより、長短部材が離れることにより開閉自在とする一対の髪止め具
【００１１】頭髪を挟んで止めるための髪止め具であり、弾性棒線状材（６）を合成樹脂、シリコ−ンゴム等（７）によって被布加工がされて一帯部材となるもので、頭髪と部材の摩擦により所望の位置に部材が、系止されるものであり、又被布成形加工等が容易であることにより摘み部、長短部材それぞれの部分おいては扁平状、立体状、棒状、大小であることを特徴とし、たとえば摘み部はつまみ易く扁平状であり、長短部材は頭髪をすくい易く棒状とするなどとした髪止め具です
【００１２】上記、髪止め具は、頭髪を挟んで止めるための開閉自在とする髪止め具であり、開閉自在とするために、上下重なり合う長短部材間で分岐される二本の部材により翼状の摘み部を設け、長短部材を作用点、摘み部を力点、短部材の分岐部と重なる部分を支点とした場合、力点である摘み部を長部材側の下方向へ押し下げた場合に、翼状の弧の形状を保持したまま押し下げる方向に回転しつつ接近するもので、翼状の弧の延長方向に位置する長短部材は前記中心線に対し直交縦方向に離れ開く状態になります。従って、一帯部材により連続して形成される一対の髪止め具において、力点、支点、作用点を設ける事により開閉自在とした髪止め具。
【００１３】上記髪止め具は、頭髪を挟んで止めるために髪止め具であって、長短部材、摘み部は極めて平面的な形状であり、頭部に密着し開閉自在とした髪止め具
【００１４】上記髪止め具は、頭髪を挟んで止めるために開閉自在であり、一帯部材による連続の形成により、摘み部は両部材間で翼状に弧を描いて折り返されることにより摘み部においても頭髪を挟めるとした髪止め具。
【００１５】上記髪止め具は、摘み部を長部材下方向へ押し下げることにより開閉自在になりますが、摘み部を短部材上部方向に重ね合わせ固定することにより摘み部の弧は、長短部材の長手方向を中心線に直交縦方向になり、長短部材に及ぼす押圧効果が大きくなる為、摘み部を短部材上部方向に重ね固定させる脱着自在の固定部材含む髪止め具。
固定部材としては、無伸縮材質部材は長短部材の外輪相等の内輪を有す輪状部材、又は輪状の弾性材とし、固定部材は、長短部材の一端より装着され、開閉時には長部材の分岐部にて停止し支障なく開閉出来るものです。
【００１６】上記解決手段による作用として一帯の部材による連続に形成される髪挟持部材は、枢支部、付勢部材は必要なく開閉自在であり、閉じた状態では長短部材から摘み部迄が頭髪を挟めるものであり、全体が湾曲しているため頭部に密着し、固定部材の装着により長短部材への押圧効果が大きく、使用時の形状が変化するとした髪止め具。
【発明の効果】
【００１７】上記によって、この発明では一帯の部材により長短部材、摘み部が連続に形成され、開閉自在とした一対の髪挟持部材であり、製造工程において手間のかかるとされた、一対の髪挟持部材を跨がるように形成さる枢支部、付勢部材については排除されるため製造工程において組み立て等の手間が必要なく課題を解消するものです。
【００１８】前記課題の解消により、極めて立体的なつまみ部により使用時に困難とした課題について、この発明では枢支部、付勢部材を排除することにより、極めて平面的な摘み部として物にぶつかる引っ掛かる又髪が絡まるなどの困難を解消するものです。
【００１９】前記課題が解消したことにより、つまみ部、枢支部部分には頭髪を挟めないとした課題については、長短部材、摘み部が連続に形成されることにより、折り返す状態の摘み部では頭髪を挟めるとして課題を解消するものです。
【００２０】上記髪止め具は弾性棒線状材を輪にし一文字の輪郭を形どり軸芯６として、合成樹脂、シリコ−ンゴム等７により被布加工し一帯部材とするもので被布加工により摩擦効果で頭髪、部材のずれを防止するものです。
脱着自在とした紐状のすべり止め部材の装着の手間や部材のずれ、すべり止め部材、溝部の製造工程の手間など解消するものであります。
【００２１】従来の髪止め具と異なる部分については、脱着自在の固定部材の装着により形状が変化することです。一対の髪止め具の摘み部を短部材上方向で重ね合わせ、固定することで、両部材の押圧効果が大きくなるもので、固定した場合形状が変化する一対の髪止め具
【００２２】従来の髪止め具と異なる点について、前記部材（６）を軸芯とすることで合成樹脂、シリコ−ンゴム等（７）の被布加工成形を容易とし長短部材、つまみ部、固定部材等は大小、扁平状、立体状、棒状の形を有しそれらを特徴とする髪止め具です。
【００２３】この発明の実施の形態は図１〜図１３によって説明します。
【実施例】
【００２４】図１は斜視図であり、弾性棒線材料を輪に連結し一文字の輪郭を形ちどり軸心６として被布加工７にした状態で、一帯部材として使用するもので、短部材１、摘み部３、４、長部材２が連続して形成されるもので、一帯部材の中央部分で折り返し１、２を上下水平に重ね合わせ折り返し部の３、４部材を１部材の長手方向を中心線に直交横方向外側へ拡げ左右対称ととなる翼状の摘み部を形成し２部材へ連続するもので、全体が２部材下方向に湾曲した形の一対の髪止め具とした図です。
６部材７部材は（００１０、図５）に記載。【００２５】図１の一対の髪止め具の軸心とする６部材は１、２部分では並列、３、４部分では分岐されて被布加工が施されるもので、被布部材７を施した状態で一帯部材とし連続に形成される図であり図５に至ります。【００２６】図２は図１で示す摘み部３、４に力を加え長部材下方向へ押しさげた場合に長短部材１、２が離れる状態を示すもので、３、４部材が形成する弧の状態のままで押し下げる方向に回転し３、４がさらに接近した場合、３、４が５ｂで交差し、２部材下方向で重なる３、４の弧の延長に位置する１部材は１ａ１ｂ角度方向、２部材は２ａ２ｂの角度方向へ傾き、前記中心線に対し直交縦方向に離れ開く状態を示すものです。
従って３、４と５ｂの交差の角度と１、２が開く角度が一定であり開閉自在とする図です。（００１２）に記載する支点５ａ５ｂ、力点３、４、作用点１、２の効果によって開閉自在になるものと考えます。【００２７】図３は上記髪止め具の則面図であり１、２、３、４部材は、一帯部材により連続して形成され、長部材下方向へ湾曲した状態を示す図です。【００２８】図４は上記髪止め具の下方向からの平面図であり摘み部が長短部材の長手方向を中心線に直交横方向へ拡がり弧を描いて長部材に連続され、外角１ａ１ｂの内角２ａ２は左右対称であることを示す図です。【００２９】図５は上記髪止め具が１、２が開いた状態のの断面図であり、前記（００１０、００２５）記載の６部材を軸芯とし被布部材７を施し一帯部材であり又６部材の位置を示す図です。【００３０】図６は上記髪止め具が７部材により、髪挟み部１、２摘み部３、４が大小、扁平状、棒状が容易に形成される図であり、それ等を特徴とする髪止め具の斜視図です。
図７は図７の髪止め具の摘み部３、４をつまんだ場合髪挟み部１、２開いた状態のとする髪止め具の斜視図です。
図８は図６図７の下平面図で髪挟み部については１は扁平状、２部材は棒状、摘み部３、４は大小の扁平状としたことを示し外角１ａ、１ｂ、内角２ａ、２ｂは左右対称であるとした図です。【００３１】図９は固定部材８の斜視図で弾性材料、合成樹脂、シリコ−ンゴム等の輪状のものであり、無伸縮部材に関しては髪挟み部１、２のそれぞれの外輪と同等の内輪を有し、伸縮部材に関しては、つまみ部３、４を固定し脱着可能とするものです。
図１０は図９の平面図です【００３２】図１１は図９、１０の固定部材８を髪挟み部材の１、２の一端部より装着し移動させ、つまみ部３、４と長部材の分岐部に装着し停止状態を示した図であり、固定部材を装着した状態おいても、開閉自在とする髪挟持部材の効果は同様であることを示す図とします。【００３３】図１２は、つまみ部３、４を短部材上方向に重ね合わせ、固定部材８を移動固定させ状態を示す図です。
図１３の斜視図はつまみ部が８部材で固定されたことを示し、１部材分岐部１ａ１ｂの外角度、２部材分岐部２ａ２ｂの内角度が前記中心線対し直交縦方向に変ることにより３、４部材の弧を保持する力が１、２部材及ぼす押圧効果を示す図です。【００３４】図１４、図１５、図１６、図１７は参照文献による参考資料とし付勢部材１８、枢支部１６ａ、１６ｂ髪挟持部材１２ａ、１２ｂつまみ部１４ａ、１４ｂ溝部３０、すべり止め部材２８を示す図です。
【図面の簡単な説明】
【００３５】
【図１】実施例を示す斜視図
【図２】図１の３、４を摘んだ場合に１、２が開く状態を示す斜視図
【図３】図１の摘み部の湾曲方向を示す側面図
【図４】図１の下平面図
【図５】図１の断面図であり被布材、棒状弾性材を示す図
【図６】被布加工成形よる棒状、扁平状、立体状を示す斜視図
【図７】図６の３、４を摘んだ場合に１、２が開く状態を示す斜視図
【図８】図６の下平面図
【図９】固定部材の斜視図
【図１０】固定部材の平面図
【図１１】図１の髪止め具に図１０の固定部材８を装着した斜視図
【図１２】固定部材８を移動し摘み部を固定した側面図
【図１３】図１２の斜視図
【図１４】参照文献による
【図１５】参照文献による
【図１６】参照文献による
【図１７】参照文献による
【符号の説明】
【００３６】  １、２      髪挟み部材
３  ４      摘み部材
１ａ、１ｂ  外角度
２ａ、２ｂ  内角度
５ａ、５ｂ  支点
６          棒線状弾性材
７          合成樹脂等被布材
８          固定部材
【図１】
0004110211.tif 000002
【図２】
0004110211.tif 000003
【図３】
0004110211.tif 000004
【図４】
0004110211.tif 000005
【図５】
0004110211.tif 000006
【図６】
0004110211.tif 000007
【図７】
0004110211.tif 000008
【図８】
0004110211.tif 000009
【図９】
0004110211.tif 000010
【図１０】
0004110211.tif 000011
【図１１】
0004110211.tif 000012
【図１２】
0004110211.tif 000013
【図１３】
0004110211.tif 000014
【図１４】
0004110211.tif 000015
【図１５】
0004110211.tif 000016
【図１６】
0004110211.tif 000017
【図１７】
0004110211.tif 000018